(57)【特許請求の範囲】
【請求項１】
それぞれ押下されたときに押下方向に可動する可動部を有し、その可動部が押下されたときにオン状態となる第１のスイッチ及び第２のスイッチと、
前記第１のスイッチの前記可動部である第１可動部の上面にスライド可能に接した第１押下部を一方の端部である第１端部に有し、前記第２のスイッチの前記可動部である第２可動部の上面にスライド可能に接した第２押下部を他方の端部である第２端部に有し、前記第１のスイッチと前記第２のスイッチの間を跨ぐように前記第１端部及び前記第２端部間で長手状に設けられたシーソー型操作部であって、前記第１端部に押下方向の力が加えられる第１態様の操作又は前記第２端部に押下方向の力が加えられる第２態様の操作が行われるシーソー型操作部と、
前記シーソー型操作部を支持する支持部と、を備え、
前記シーソー型操作部と前記支持部の一方には、前記シーソー型操作部を上から見たときの前記シーソー型操作部の長手方向と直交する側方に突出した軸が固定され、
前記シーソー型操作部と前記支持部の前記軸が固定されていない方には、前記軸に直交する側面を有し、その側面には、上下方向の成分を有する方向に延びた、前記軸の先端側が差し込まれた溝が形成され、
前記シーソー型操作部に対して前記第１態様の操作が行われたときに、前記軸が前記溝に沿って前記溝の途中位置まで移動するとともに、その移動に伴って前記第１押下部が前記第１可動部を押下して前記第１のスイッチがオン状態なる一方で前記第２のスイッチがオフ状態のままとなる１段操作と、その１段操作のときよりも大きな力で前記第１態様の操作が行われたときに、前記軸が前記溝に沿って前記途中位置よりも先まで移動するとともに、その移動に伴って、先ず前記第１押下部が前記第１可動部を押下して前記第１のスイッチがオン状態となり、その後前記第２押下部が前記第２可動部を押下して前記第２のスイッチがオン状態となる２段操作とを可能とし、
前記シーソー型操作部に対して前記第２態様の操作が行われたときに、前記軸が前記溝に沿って前記溝の途中位置まで移動するとともに、その移動に伴って前記第２押下部が前記第２可動部を押下して前記第２のスイッチがオン状態なる一方で前記第１のスイッチがオフ状態のままとなる１段操作と、その１段操作のときよりも大きな力で前記第２態様の操作が行われたときに、前記軸が前記溝に沿って前記途中位置よりも先まで移動するとともに、その移動に伴って、先ず前記第２押下部が前記第２可動部を押下して前記第２のスイッチがオン状態となり、その後前記第１押下部が前記第１可動部を押下して前記第１のスイッチがオン状態となる２段操作とを可能とし、
前記溝は、上方向に凸又は下方向に凸のＶ字状又はＵ字状とされ、
前記軸は、前記シーソー型操作部が未操作状態のときには前記溝におけるＶ字又はＵ字の頂点に位置し、前記第１端部に対して押下操作が行われたときには前記第１端部に加えられた力の向きに応じて前記溝における前記頂点よりも左側の溝と右側の溝のどちらにも移動可能であり、前記第２端部に対して押下操作が行われたときには前記第２端部に加えられた力の向きに応じて前記左側の溝と前記右側の溝のどちらにも移動可能であることを特徴とするシーソー型スイッチ装置。
【請求項２】
前記軸は前記シーソー型操作部に固定され、
前記支持部に形成された前記溝は、上方向に凸のＶ字状又はＵ字状であることを特徴とする請求項１に記載のシーソー型スイッチ装置。
【請求項３】
前記軸は前記支持部に固定され、
前記シーソー型操作部に形成された前記溝は、下方向に凸のＶ字状又はＵ字状であることを特徴とする請求項１に記載のシーソー型スイッチ装置。
【発明の詳細な説明】
【技術分野】
【０００１】
本発明は、自動車のパワーウィンドウの開閉スイッチなどに適用されるシーソー型スイッチ装置に関し、特に片側２段階のスイッチ操作を可能としたシーソー型スイッチ装置に関する。
【背景技術】
【０００２】
自動車のパワーウィンドウの開閉スイッチには、一般的に、シーソー型スイッチ装置が適用される。このスイッチ装置の一方の端部側を押下する操作が加えられたときにはウィンドウが開方向（ダウン方向）に作動され、他方の端部側を押下する操作が加えられたときにはウィンドウが閉方向（アップ方向）に作動されるようになっている。そして、従来、この種のスイッチ装置において、片側２段階のスイッチ操作を可能としたスイッチ装置が知られている（例えば特許文献１参照）。
【０００３】
例えば特許文献１のスイッチ装置では、ダウン方向の操作を検出するためのダウン用の第１及び第２のスイッチと、アップ方向の操作を検出するためのアップ用の第１及び第２のスイッチの合計４個のスイッチを用いている。そして、操作部が第１のスイッチ及び第２のスイッチのうち第１のスイッチだけをオンさせるマニュアル位置まで操作されたときには、その第１のスイッチがオンしている間だけウィンドウがダウン方向又はアップ方向に作動される。また、操作部がマニュアル位置を超えてオート位置まで操作されると、第１のスイッチ及び第２のスイッチが共にオンされる。そして、第２のスイッチが一旦オンされたときには、操作部への操作が解除されたとしてもウィンドウが全開位置又は全閉位置まで作動される。
【先行技術文献】
【特許文献】
【０００４】
【特許文献１】特開２０００−１１８０７号公報
【発明の概要】
【発明が解決しようとする課題】
【０００５】
しかしながら、従来のシーソー型スイッチ装置では、片側２段階のスイッチ操作を可能とするためには４個のスイッチを必要としていたので、構造が複雑になるという問題点がある。
【０００６】
本発明は上記問題点に鑑みてなされたものであり、片側２段階のスイッチ操作が可能なシーソー型スイッチ装置において、従来よりも構造を簡素にすることを課題とする。
【課題を解決するための手段】
【０００７】
上記課題を解決するために、本発明のシーソー型スイッチ装置は、それぞれ押下されたときに押下方向に可動する可動部を有し、その可動部が押下されたときにオン状態となる第１のスイッチ及び第２のスイッチと、
前記第１のスイッチの前記可動部である第１可動部の上面にスライド可能に接した第１押下部を一方の端部である第１端部に有し、前記第２のスイッチの前記可動部である第２可動部の上面にスライド可能に接した第２押下部を他方の端部である第２端部に有し、前記第１のスイッチと前記第２のスイッチの間を跨ぐように前記第１端部及び前記第２端部間で長手状に設けられたシーソー型操作部であって、前記第１端部に押下方向の力が加えられる第１態様の操作又は前記第２端部に押下方向の力が加えられる第２態様の操作が行われるシーソー型操作部と、
前記シーソー型操作部を支持する支持部と、を備え、
前記シーソー型操作部と前記支持部の一方には、前記シーソー型操作部を上から見たときの前記シーソー型操作部の長手方向と直交する側方に突出した軸が固定され、
前記シーソー型操作部と前記支持部の前記軸が固定されていない方には、前記軸に直交する側面を有し、その側面には、上下方向の成分を有する方向に延びた、前記軸の先端側が差し込まれた溝が形成され、
前記シーソー型操作部に対して前記第１態様の操作が行われたときに、前記軸が前記溝に沿って前記溝の途中位置まで移動するとともに、その移動に伴って前記第１押下部が前記第１可動部を押下して前記第１のスイッチがオン状態なる一方で前記第２のスイッチがオフ状態のままとなる１段操作と、その１段操作のときよりも大きな力で前記第１態様の操作が行われたときに、前記軸が前記溝に沿って前記途中位置よりも先まで移動するとともに、その移動に伴って、先ず前記第１押下部が前記第１可動部を押下して前記第１のスイッチがオン状態となり、その後前記第２押下部が前記第２可動部を押下して前記第２のスイッチがオン状態となる２段操作とを可能とし、
前記シーソー型操作部に対して前記第２態様の操作が行われたときに、前記軸が前記溝に沿って前記溝の途中位置まで移動するとともに、その移動に伴って前記第２押下部が前記第２可動部を押下して前記第２のスイッチがオン状態なる一方で前記第１のスイッチがオフ状態のままとなる１段操作と、その１段操作のときよりも大きな力で前記第２態様の操作が行われたときに、前記軸が前記溝に沿って前記途中位置よりも先まで移動するとともに、その移動に伴って、先ず前記第２押下部が前記第２可動部を押下して前記第２のスイッチがオン状態となり、その後前記第１押下部が前記第１可動部を押下して前記第１のスイッチがオン状態となる２段操作とを可能とし、
前記溝は、上方向に凸又は下方向に凸のＶ字状又はＵ字状とされ、
前記軸は、前記シーソー型操作部が未操作状態のときには前記溝におけるＶ字又はＵ字の頂点に位置し、前記第１端部に対して押下操作が行われたときには前記第１端部に加えられた力の向きに応じて前記溝における前記頂点よりも左側の溝と右側の溝のどちらにも移動可能であり、前記第２端部に対して押下操作が行われたときには前記第２端部に加えられた力の向きに応じて前記左側の溝と前記右側の溝のどちらにも移動可能であることを特徴とする。
【０００８】
本発明によれば、シーソー型操作部を支持する軸が、上下方向の成分を有する方向（溝）に沿って可動としたので、片側１個ずつの合計２つのスイッチ（第１のスイッチ、第２のスイッチ）で、片側２段階の操作を可能としている。具体的には、シーソー型操作部に加える力が小さい（２段操作時に比べて小さい）１段操作時では、軸が溝の途中位置まで移動することで、第１のスイッチ又は第２のスイッチだけがオン状態となる。また、シーソー型操作部に加える力が１段操作時よりも大きい２段操作時では、先ず第１のスイッチ又は第２のスイッチの一方がオン状態となり、その後他方のスイッチがオン状態となる。つまり、時間差をおいて第１のスイッチ及び第２のスイッチが共にオン状態となる。よって、１段操作時と２段操作時とを区別できる。また、第１のスイッチと第２のスイッチのどちらが先にオン状態となったかによって、第１態様の操作が行われたのか、第２態様の操作が行われたのかを区別できる。このように、本発明では、２つのスイッチで、第１態様の操作における１段操作、２段操作と、第２態様の操作における１段操作、２段操作をそれぞれ区別できる。よって、各操作を検出するためのスイッチを２個に減らすことができるので、構造を簡素にできる。
【図面の簡単な説明】
【０００９】
【図１】スイッチ装置１を上から見た図である。
【図２】第１実施形態におけるスイッチ装置１の断面図（側面図）である。
【図３】スイッチ３０の構造を示した図（同図（Ａ））、スイッチ３０が押下されたときの状態を示した図（同図（Ｂ））である。
【図４】Ｖ字溝２１と軸３の斜視図である。
【図５】第１実施形態における、第１端部１１１に押下操作が加えられたときのスイッチ装置１の状態を示した図である。
【図６】第１実施形態における、第２端部１１２に押下操作が加えられたときのスイッチ装置１の状態を示した図である。
【図７】マイコン２が実行する処理のフローチャートである。
【図８】第２実施形態におけるスイッチ装置１の断面図（側面図）である。
【図９】第２実施形態における、第１端部１１１に押下操作が加えられたときのスイッチ装置１の状態を示した図である。
【図１０】第２実施形態における、第２端部１１２に押下操作が加えられたときのスイッチ装置１の状態を示した図である。
【図１１】変形例に係るスイッチ装置の側面図である。
【図１２】変形例に係る溝を示した図である。
【発明を実施するための形態】
【００１０】
（第１実施形態）
以下、本発明に係るシーソー型スイッチ装置の第１実施形態を説明する。なお、以下の実施形態では、本発明のシーソー型スイッチ装置を自動車のパワーウィンドウを開閉させるためのスイッチに適用した例を説明する。図１は、本実施形態のシーソー型スイッチ装置１を上から見た図を示している。また、図２は、図１のＡ−Ａ線で切ったときのスイッチ装置１の断面図（側面図）を示している。なお、図２は、スイッチ装置１の平常時（未操作時）の状態を示した図でもある。また、図２では、ベゼル２０の側面２１０（開口２００の内面）に形成されたＶ字溝２１を点線で図示している。図１、図２に示すように、スイッチ装置１は、シーソー型操作部１０と、ベゼル２０と、第１のスイッチ３０と、第２のスイッチ４０と、軸３とを備えている。図１に示すように、ベゼル２０には略長方形状の開口２００が形成されており、その開口２００から操作部１０の操作面１１ａが露出する形で操作部１０が設けられている。その操作部１０は、図１の方向から見たときに（上から見たときに）、略長方形状となっている。操作部１０（操作面１１ａ）の一方の端部１１１（図１では右側の端部、以下第１端部という。）と他方の端部１１２（図１では左側の端部、以下第２端部という。）の両側で押下操作が可能となっている。また、後述するように、片側２段階のスイッチ操作が可能となっている。
【００１１】
操作部１０をさらに詳細に説明すると、操作部１０は、図２に示すように、スイッチ３０、４０の間を跨ぐように設けられている。詳細には、操作部１０は、スイッチ３０、４０が実装された基板５０の上方にて、スイッチ３０、４０間を跨ぐ方向に延びた長手部材１１と、その長手部材１１の第１端部１１１から下方（基板５０側）に凸状の第１凸部１１５と、長手部材１１の第２端部１１２から下方に凸状の第２凸部１１６とから構成されている。なお、長手部材１１の上面１１ａが操作部１０の操作面となっている。第１凸部１１５の先端面１１５ａは第１のスイッチ３０（押下ボタン３２）の上面３２ａにスライド可能に接している（上面３２ａに固定されていない）。第２凸部１１６の先端面１１６ａは第２のスイッチ４０（押下ボタン４２）の上面４２ａにスライド可能に接している（上面４２ａに固定されていない）。
【００１２】
操作部１０は、軸３及びその軸３が差し込まれたＶ字溝２１（図４参照）によってシーソー動作が可能に支持されている。詳細には、長手部材１１の両側面１１３、１１４（短手方向に向いた面、図１参照）のそれぞれには軸３（丸棒）が固定されている。それら軸３は、側面１１３、１１４の長手方向の中心に固定されている。一方の側面１１３に固定された軸３は、側面１１３から側方（長手部材１１の長手方向に直交する向き、図１の上方向）に突出する形で設けられている。他方の側面１１４に固定された軸３は、側面１１４から側方（長手部材１１の長手方向に直交する向き、図１の下方向）に突出する形で設けられている。
【００１３】
ベゼル２０は、開口２００の内側において、長手部材１１の側面１１３、１１４から一定間隔を空けて、各側面１１３、１１４に対向した（平行の）内面２１０を有している。側面１１３に対向した内面２１０及び側面１１４に対向した内面２１０には、それぞれ、Ｖ字溝２１が形成されている。詳細には、Ｖ字溝２１は、内面２１０における軸３に対向した位置（図１のＢ部及びＣ部）に形成されている。図４には、そのＶ字溝２１と軸３の斜視図を示している。Ｖ字溝２１は、図２、図４に示すように、上方向（スイッチ装置１の押下方向と逆の方向）に凸のＶ字状に形成されている。別の言い方をすると、Ｖ字溝２１は、Ｖ字の頂点２１１から左右に斜め下方に延びた形状となっている。Ｖ字溝２１における、図２の右側（第１のスイッチ３０側）に延びた右溝２１２と、左側（第２のスイッチ４０側）に延びた左溝２１３は、頂点２１１を中心にして左右対称の形状となっている。なお、Ｖ字溝２１におけるＶ字の角度（右溝２１２と左溝２１３の間の角度）や、右溝２１２及び左溝２１３の長さは、後述する作用（スイッチ３０、４０で片側２段階の操作を検出する作用）を奏するように適宜に調整されている。またＶ字溝２１の幅は軸３の径と同程度とされている。
【００１４】
軸３の先端側（操作部１０に固定されていない側）は、操作部１０が未操作の状態（図２）において、Ｖ字溝２１の頂点２１１の位置に差し込まれている。よって、軸３及び軸３に固定された操作部１０は、操作部１０が未操作の状態において、頂点２１１の底面によって略水平となるように支持されている。なお、軸３は、Ｖ字溝２１に固定されているわけではなく、Ｖ字溝２１に沿って摺動可能となっている。
【００１５】
スイッチ３０、４０は、押下ボタン３２、４２が押下されている間だけオン状態となり、押下が解除されたときには押下ボタン３２、４２が元の未操作の位置に復帰する、いわゆるタクトスイッチである。それらスイッチ３０、４０は互いに同じスイッチとされる。以下、代表として、第１のスイッチ３０の構造を説明すると、第１のスイッチ３０は、ケース３１と、そのケース３１の上から上方に突出した押下ボタン３２とを備えている。図３（Ａ）はケース３１の内部を透視した図を示しており、ケース３１内には、ドーム状のゴム製のドーム部３３が設けられている。押下ボタン３２は、そのドーム部３３の頂上部３３１の上に接続されている。頂上部３３１の裏側には、導通性ゴムで形成された可動接点３４が設けられている。また、可動接点３４に対向する位置には固定接点３５が設けられている。その固定接点３５は、押下ボタン３２の未操作時には非導通とされている。
【００１６】
押下ボタン３２に押下方向の力が加えられると、その押下ボタン３２が接続されたドーム部３３は、可動接点３４が固定接点３５に接近する方向に弾性変形する。押下ボタン３２は、そのドーム部３３の変形に伴って、押下方向に移動する。そして、押下ボタン３２は、最終的に、図３（Ｂ）に示すように、可動接点３４と固定接点３５とが接触する位置（最下端）まで移動する。図３（Ｂ）の状態になると、固定接点３５が導通状態となり、スイッチ３０がオン状態となる。なお、押下ボタン３２に一定以上の力が加えられるまではドーム部３３は緩やかに弾性変形し、一定以上の力が加えられたときに一気に変形が加速し最下端まで座屈する（押下ボタン３２は一気に最下端まで移動する）。つまり、押下ボタン３２に押下操作が加えられたときにクリック感が生ずるようになっている。
【００１７】
図３（Ｂ）の状態になった後、押下ボタン３２に加わる力が解除されたときには、可動接点３４が固定接点３５から離間する方向に、弾性変形したドーム部３３の弾性力が作用して、図３（Ａ）の元の状態に復帰し、スイッチ３０がオフ状態となる。なお、第１のスイッチ３０と第２のスイッチ４０は、操作部１０（長手部材１１）の長手方向の長さの間隔（数ｃｍ程度）を空けて、基板５０に実装されている。上記構成を有したスイッチ装置１は例えば自動車の各ドアの車室側に設けられる。
【００１８】
次に、スイッチ装置１の作用を説明する。先ず、図５を参照して、操作部１０の第１端部１１１に押下操作が加えられたときの、スイッチ装置１の作用を説明する。図５（Ａ）は、図２の状態から、第１端部１１１に小さい力（図５（Ｂ）の２段操作時に比べて小さい力）で押下操作が行われたときの状態（１段操作時の状態）を示している。また、図５（Ｂ）は、図５（Ａ）の状態から、第１端部１１１に大きい力（図５（Ａ）の１段操作時に比べて大きい力）で押下操作が行われたときの状態（２段操作時の状態）を示している。なお、図５（Ａ）、（Ｂ）では、第１端部１１１に対して、操作部１０の中心側に若干向いた力を加えたときの状態を示している。
【００１９】
図５（Ａ）に示すように、第１端部１１１に押下操作が加えられると、軸３がＶ字溝２１の左溝２１３に沿って、つまり左斜め下方に移動する。このとき、軸３は左溝２１３の途中位置まで移動する。その軸３の移動にともなって、第１凸部１１５の先端面１１５ａが、第１のスイッチ３０（押下ボタン３２）の上面３２ａ上を、左方向（第２のスイッチ４０に向かう方向）にスライドしつつ押下ボタン３２を押下する。その結果、第１のスイッチ３０がオン状態となる。第２凸部１１６の先端面１１６ａは、軸３の移動にともなって、第２のスイッチ４０（押下ボタン４２）の上面４２ａ上を、左方向（第１のスイッチ３０から離れる方向、外側の方向）にスライドするが、押下ボタン４２を押下しない。つまり、第２のスイッチ４０はオフ状態のままとなる。なお、図５（Ａ）の状態は、第１端部１１１が左斜め下に下降し、第２端部１１２が左斜め上に上昇しているシーソーの作動状態とも言える。この第１のスイッチ３０がオン状態、第２のスイッチ４０がオフ状態の状態が、第１端部１１１に対する１段操作時の状態とされる。なお、図５（Ａ）の状態から第１端部１１１への押下操作が解除されたときには、第１のスイッチ３０のドーム部３３（図３参照）の弾性力が作用して、軸３がＶ字溝２１の頂点２１１まで移動し、図２の平常時の状態に復帰する。
【００２０】
一方、図５（Ａ）の状態から第１端部１１１に大きい力の押下操作が加えられると、最終的に図５（Ｂ）の状態となる。具体的には、軸３は、図５（Ａ）の途中位置から左溝２１３に沿ってさらに移動して、最終的に左溝２１３の先端まで移動する。このとき、第１のスイッチ３０の押下ボタン３２は最下端まで下降しており、これ以上下降できないので、軸３の移動にともなって今度は第２凸部１１６が押下ボタン４２を押下するように、操作部１０に力が作用する。結局、図５（Ｂ）に示すように、第２のスイッチ４０もオン状態となる。このように、第１のスイッチ３０がオン状態となっている状態から、その後（時間差で）、第２のスイッチ４０がオン状態となる状態が、第１端部１１１に対する２段操作時の状態とされる。なお、スイッチ３０、４０は、オン状態となるとクリック感が生ずるようになっているので、ユーザは、１段操作時では１回のクリック感を感じ、２段操作時ではさらにもう１回のクリック感を感じることができる。よって、ユーザは、１段操作と２段操作とを区別できる。なお、図５（Ｂ）の状態から第１端部１１１への押下操作が解除されたときには、第１のスイッチ３０のドーム部３３（図３参照）及び第２のスイッチ４０のドーム部（図示外）の弾性力が作用して、図２の平常時の状態に復帰する。
【００２１】
なお、以上では、第１端部１１１に対して、操作部１０の中心側に若干向いた力を加えたときの作用を説明したが、第１端部１１１に対して外側に若干向いた力が加わった場合には、軸３は、右溝２１２に沿って移動する。その移動にともなって、第１凸部１１５、第２凸部１１６は、図５の右方向にスライドするが、図５と同様に、１段操作時では、第１のスイッチ３０だけがオン状態となり、２段操作時では、第１のスイッチ３０と第２のスイッチ４０の両方がオン状態となる。つまり、軸３が左溝２１３を移動しようと右溝２１２を移動しようと、スイッチ３０、４０の作用は同じである。
【００２２】
次に、図６を参照して、操作部１０の第２端部１１２に押下操作が加えられたときの、スイッチ装置１の作用を説明する。図６（Ａ）は、図２の状態から、第２端部１１２に小さい力（図６（Ｂ）の２段操作時に比べて小さい力）で押下操作が行われたときの状態（１段操作時の状態）を示している。また、図６（Ｂ）は、図６（Ａ）の状態から、第２端部１１２に大きい力（図６（Ａ）の１段操作時に比べて大きい力）で押下操作が行われたときの状態（２段操作時の状態）を示している。なお、図６（Ａ）、（Ｂ）では、第２端部１１２に対して、操作部１０の中心側に若干向いた力を加えたときの状態を示している。
【００２３】
図６に示すように、第２端部１１２に押下操作が加えられたときには、図５と逆の作用をする。つまり、図６（Ａ）の１段操作時では、軸３がＶ字溝２１の右溝２１２の途中位置まで移動し、その移動にともなって第２凸部１１６が押下ボタン４２を押下して、第２のスイッチ４０がオン状態となる。このとき、第１のスイッチ３０はオフ状態のままとなる。この第２のスイッチ４０がオン状態、第１のスイッチ３０がオフ状態の状態が、第２端部１１２に対する１段操作時の状態とされる。
【００２４】
一方、図６（Ｂ）の２段操作時では、図６（Ａ）の状態からさらに軸３が右溝２１２の先端まで移動し、その移動にともなって第１凸部１１５が押下ボタン３２を押下し、第１のスイッチ３０もオン状態となる。このように、先ず第２のスイッチ４０がオン状態となっている状態から、その後（時間差で）、第１のスイッチ３０がオン状態となる状態が、第２端部１１２に対する２段操作時の状態とされる。なお、第２端部１１２に対する押下操作で、軸３が左溝２１３に沿って移動した場合であっても、１段操作時では、第２のスイッチ４０だけがオン状態となり、２段操作時では、第２のスイッチ４０がオン状態となり、その後、第１のスイッチ３０がオン状態となる。
【００２５】
図２に示すように、スイッチ３０、４０には、ウィンドウの開閉など、所定機器の作動を制御するマイコン２が接続されており、各スイッチ３０、４０がオン状態となると、オン状態となったスイッチからマイコン２にオン信号が入力されるようになっている。そのマイコン２は、スイッチ３０、４０のオン、オフ状態に基づいて、上記図５（Ａ）、図５（Ｂ）、図６（Ａ）、図６（Ｂ）のいずれの状態かを判断する処理を実行し、その処理結果に基づいて所定機器の作動（ウィンドウの開閉など）を制御している。以下、マイコン２が実行する処理の詳細を説明する。図７は、マイコン２が実行する処理のフローチャートを示している。この図７の処理は、スイッチ３０又はスイッチ４０からオン信号がマイコン２に入力されたときに開始される。なお、図７では、第１のスイッチ３０を「ＳＷ１」、第２のスイッチ４０の「ＳＷ２」としている。以下では、マイコン２はウィンドウの開閉を制御するとして説明するが、マイコン２の制御対象機器はウィンドウに限られない。
【００２６】
図７の処理が開始されると、先ず、マイコン２は、スイッチＳＷ１とスイッチＳＷ２のどちらからオン信号が入力されたのかを確認する（Ｓ１１）。次いで、Ｓ１１の確認結果に基づいて、入力されたオン信号がスイッチＳＷ１からのオン信号が否かを判断する（Ｓ１２）。スイッチＳＷ１からのオン信号の場合には（Ｓ１２：Ｙｅｓ）、処理をＳ１３に進める。Ｓ１３では、スイッチＳＷ２が既にオン状態となっているか否か（スイッチＳＷ２から既にオン信号が入力されているか否か）を判断する（Ｓ１３）。スイッチＳＷ２がオン状態となっていない場合には（Ｓ１３：Ｎｏ）、スイッチＳＷ１だけがオン状態となったことになるので、操作部１０の右側（第１端部１１１）に対する１段操作（図５（Ａ）の状態）であると判定する（Ｓ１５）。その後、図７の処理を終了する。マイコン２は、第１端部１１１に対する１段操作と判定した場合には、例えば、スイッチＳＷ１がオン状態となっている間だけ（第１端部１１１に押下操作が加えられている間だけ）、ウィンドウを開方向（ダウン方向）に作動させる（ダウン方向へのマニュアル作動）。
【００２７】
Ｓ１３において、スイッチＳＷ２が既にオン状態となっている場合には（Ｓ１３：Ｙｅｓ）、スイッチＳＷ２のオン状態の後に、スイッチＳＷ１がオン状態となったことになるので、操作部１０の左側（第２端部１１２）に対する２段操作（図６（Ｂ）の状態）であると判定する（Ｓ１４）。その後、図７のフローチャートの処理を終了する。マイコン２は、第２端部１１２に対する２段操作と判定した場合には、例えば、第２端部１１２への操作が解除された後も、ウィンドウの閉方向（アップ方向）への作動を継続して、ウィンドウを全閉位置まで作動させる（アップ方向へのオート作動）。
【００２８】
Ｓ１２において、スイッチＳＷ１からのオン信号ではない場合、つまり入力されたオン信号がスイッチＳＷ２からのオン信号の場合には（Ｓ１２：Ｎｏ）、処理をＳ１６に進める。Ｓ１６では、スイッチＳＷ１が既にオン状態となっているか否かを判断する（Ｓ１６）。スイッチＳＷ１がオン状態となっていない場合には（Ｓ１６：Ｎｏ）、スイッチＳＷ２だけがオン状態となったことになるので、操作部１０の左側（第２端部１１２）に対する１段操作（図６（Ａ）の状態）であると判定する（Ｓ１８）。その後、図７の処理を終了する。マイコン２は、第２端部１１２に対する１段操作と判定した場合には、例えば、スイッチＳＷ２がオン状態となっている間だけ（第２端部１１２に押下操作が加えられている間だけ）、ウィンドウを閉方向（アップ方向）に作動させる（アップ方向へのマニュアル作動）。
【００２９】
Ｓ１６において、スイッチＳＷ１が既にオン状態となっている場合には（Ｓ１６：Ｙｅｓ）、スイッチＳＷ１のオン状態の後に、スイッチＳＷ２がオン状態となったことになるので、操作部１０の右側（第１端部１１１）に対する２段操作（図５（Ｂ）の状態）であると判定する（Ｓ１７）。その後、図７のフローチャートの処理を終了する。マイコン２は、第１端部１１１に対する２段操作と判定した場合には、例えば、第１端部１１１への操作が解除された後も、ウィンドウの開方向（ダウン方向）への作動を継続して、ウィンドウを全開位置まで作動させる（ダウン方向へのオート作動）。
【００３０】
以上説明したように、本実施形態では、片側１個ずつの計２つのスイッチ３０、４０で、片側２段階のスイッチ操作を検出できるので、スイッチ装置の構造を簡素にできる。その結果、スイッチ数を減少することによるコスト削減、実装スペースの縮小を図ることができる。また、操作部１０の未操作時では、軸３がＶ字溝２１の頂点２１１に位置するので、操作部１０を平衡状態に安定させることができる。
【００３１】
（第２実施形態）
次に、本発明に係るシーソー型スイッチ装置の第２実施形態を第１実施形態と異なる部分を中心にして説明する。図１は、本実施形態のシーソー型スイッチ装置１を上から見た図を示している。このように、上から見た図は、第１実施形態と第２実施形態とで同じとされている。図８は、図１のＡ−Ａ線で切ったときのスイッチ装置１の断面図（側面図）を示している。なお、図８において、第１実施形態と同一、類似の構成には同一符号を付している。図８に示すように、本実施形態は、シーソー型操作部１０（長手部材）の側面１１３、１１４にＶ字溝６１が形成され、ベゼル２０の内面２１０に軸３（図８では破線で示している）が固定されている点が、第１実施形態と異なっている。
【００３２】
具体的には、操作部１０の両側面１１３、１１４には、操作部１０の長手方向の中心位置において、図８の下方向（操作部１０の押下方向と同じ方向）に凸のＶ字溝６１が形成されている。そのＶ字溝６１は、Ｖ字の頂点６１１から左右に斜め上方に延びた形状となっている。Ｖ字溝６１における、図８の右側（第１のスイッチ３０側）に延びた右溝６１２と、左側（第２のスイッチ４０側）に延びた左溝６１３は、頂点６１１を中心にして左右対称の形状となっている。なお、操作部１０（長手部材１１）の側面１１３、１１４は、少なくともＶ字溝６１を形成できる厚さを有している。
【００３３】
側面１１３に対向したベゼル２０の内面２１０及び側面１１４に対向したベゼル２０の内面２１０には、それぞれ、軸３が固定されている。その軸３は、内面２１０におけるＶ字溝６１に対向した位置（図１のＢ部及びＣ部）に固定されている。軸３は、内面２１０から側方（Ｖ字溝６１の方向、図１の上下方向）に突出する形で設けられている。軸３の先端側はＶ字溝６１に差し込まれている。図８に示すように、平常時（未操作時）の状態において、軸３はＶ字溝６１の頂点６１１に位置している。その他の構成は第１実施形態と同じである。
【００３４】
次に、スイッチ装置１の作用を説明する。先ず、図９を参照して、操作部１０の第１端部１１１に押下操作が加えられたときの、スイッチ装置１の作用を説明する。図９（Ａ）は、図８の状態から、第１端部１１１に小さい力で押下操作が行われたときの状態（１段操作時の状態）を示している。図９（Ｂ）は、図９（Ａ）の状態から、第１端部１１１に大きい力で押下操作が行われたときの状態（２段操作時の状態）を示している。図９（Ａ）の１段操作時では、軸３がＶ字溝６１の右溝６１２の途中位置まで移動する。なお、厳密には、軸３の位置は固定でＶ字溝６１が軸３に対して移動している（軸３はＶ字溝６１に対して相対移動をしている）。そして、その移動にともなって第１凸部１１５が押下ボタン３２を押下して、第１のスイッチ３０がオン状態となる。このとき、第２のスイッチ４０はオフ状態のままとなる。
【００３５】
一方、図９（Ｂ）の２段操作時では、図９（Ａ）の状態（第１のスイッチ３０のオン状態）から、軸３が右溝２１２の先端まで移動し、その移動にともなって第２凸部１１６が押下ボタン４２を押下し、第２のスイッチ４０もオン状態となる。
【００３６】
次に、図１０を参照して、操作部１０の第２端部１１２に押下操作が加えられたときの、スイッチ装置１の作用を説明する。図１０（Ａ）は、図８の状態から、第２端部１１２に小さい力で押下操作が行われたときの状態（１段操作時の状態）を示している。また、図１０（Ｂ）は、図１０（Ａ）の状態から、第２端部１１２に大きい力で押下操作が行われたときの状態（２段操作時の状態）を示している。図１０（Ａ）の１段操作時では、軸３がＶ字溝６１の左溝６１３の途中位置まで相対移動する。なお、厳密には、軸３の位置が固定で左溝６１３が軸３に対して移動している。そして、その移動にともなって第２凸部１１６が押下ボタン４２を押下して、第２のスイッチ４０がオン状態となる。このとき、第１のスイッチ３０はオフ状態のままとなる。
【００３７】
一方、図１０（Ｂ）の２段操作時では、図１０（Ａ）の状態（第２のスイッチ４０のオン状態）から、軸３が左溝６１３の先端まで移動し、その移動にともなって第１凸部１１５が押下ボタン３２を押下し、第１のスイッチ３０もオン状態となる。
【００３８】
このように、各端部１１１、１１２への１段操作、２段操作に対するスイッチ３０、４０の作用は、第１実施形態と同じになる。よって、本実施形態においても、図７の処理を実行することで、各操作を検出できる。
【００３９】
以上説明したように、本実施形態は、第１実施形態と同様の構成、作用となっているので、第１実施形態と同じ効果を得ることができる。
【００４０】
なお、本発明に係るシーソー型スイッチ装置は上記実施形態に限定されるわけではなく、特許請求の範囲の記載を逸脱しない限度で種々の変更が可能である。ここで、図１１は、変形例に係るスイッチ装置の側面図を示している。なお、図１１において、上記実施形態と同一、類似の構成には同一符号を付している。図１１に示すように、シーソー型操作部１０に、操作ノブ１６を設けたとしても良い。その操作ノブ１６は、操作部１０（長手部材１１）の上面中心付近から上方に突出しつつ、先端１６１が操作部１０の一方の端部（図１１では第２端部１１２）側に向いた形状となっている。その先端１６１を引き上げ方向（図１１のＤ方向）に操作すると、第１端部１１１に押下方向の力が作用するので、第１端部１１１に押下操作を加えたことと同じになる。また、先端１６１を押し下げ方向（図１１のＥ方向）に操作すると、第２端部１１２に押下方向の力が作用するので、第２端部１１２に押下操作を加えたことと同じになる。
【００４１】
また、上記実施形態では、操作部１０の凸部１１５、１１６でスイッチ３０、３０を押下していたが、図１１に示すように、操作部１０（長手部材１１）の裏面１１７で直接スイッチ３０、４０を押下しても良い。
【００４２】
また、軸が差し込まれる溝は、上下方向（操作部の押下方向を下方向、その逆方向を上方向としたときの上下方向）の成分を有する方向に延びていれば、どのような形状であっても良い。例えば、図１２（Ａ）に示すように、Ｕ字状の溝７１を採用しても良い。図１２（Ａ）では、第１実施形態のように、操作部に軸が固定され、ベゼルの内面に溝が形成された場合を想定し、そのため、Ｕ字溝７１は上に凸のＵ字状となっている。この場合も、未操作時においては軸３がＵ字溝７１の頂点７１１の位置に差し込まれるようにする。これによって、操作部が操作されたときに、軸３が右溝７１２又は左溝７１３に沿って移動するので、上記実施形態と同様の作用効果を得ることができる。また、図１２（Ｂ）に示すように、上下に延びた上下溝７２を採用しても良い。この場合も第１実施形態のように、操作部に軸が固定され、ベゼルの内面に溝が形成された場合を想定し、そのため、未操作時においては軸３が上下溝７２の上部７２１の位置に差し込まれるようにする。これによって、操作部が操作されたときに、軸３が上下溝７２に沿って下方に移動するので、上記実施形態と同様の作用効果を得ることができる。
【００４３】
また、本発明のスイッチ装置を、例えばエアコンの温度設定スイッチに適用しても良い。この場合、操作部の一方の側の１段操作の検出時では、操作されている間だけ、設定温度の値をアップさせていく（マニュアル作動）。２段操作の検出時では、操作が解除された後も設定温度の値のアップを継続する（オート作動）。また、操作部の他方の側の１段操作の検出時では、操作されている間だけ、設定温度の値をダウンさせていく（マニュアル作動）。２段操作の検出時では、操作が解除された後も設定温度の値のダウンを継続する（オート作動）。
【００４４】
なお、上記実施形態において、押下ボタン３２が本発明の「第１可動部」に相当する。押下ボタン４２が本発明の「第２可動部」に相当する。第１凸部１１５が本発明の「第１押下部」に相当する。第２凸部１１６が本発明の「第２押下部」に相当する。ベゼル２０が本発明の「支持部」に相当する。
【符号の説明】
【００４５】
１  シーソー型スイッチ装置
３  軸
１０  シーソー型操作部
１１  長手部材
１１１  第１端部
１１２  第２端部
１１３、１１４  操作部の側面
１１５  第１凸部
１１６  第２凸部
２０  ベゼル
２１０  ベゼルの内面
２１、６１  Ｖ字溝
３０  第１のスイッチ
３２  第１のスイッチの押下ボタン
４０  第２のスイッチ
４２  第２のスイッチの押下ボタン
【図１】
0005773273.tif 000002
【図２】
0005773273.tif 000003
【図３】
0005773273.tif 000004
【図４】
0005773273.tif 000005
【図５】
0005773273.tif 000006
【図６】
0005773273.tif 000007
【図７】
0005773273.tif 000008
【図８】
0005773273.tif 000009
【図９】
0005773273.tif 000010
【図１０】
0005773273.tif 000011
【図１１】
0005773273.tif 000012
【図１２】
0005773273.tif 000013